(57)【特許請求の範囲】
【請求項１】
遊技機本体の裏面側に、遊技島設備の補給樋から供給された遊技球を受け入れる球タンクと、該球タンクから放出された遊技球を流下させる下方傾斜したタンクレールと、該タンクレールの上方位置に上端が支軸によって軸支されて、タンクレールに沿って揺動可能に吊持され、タンクレール内を積み重なって流下する遊技球を平らに均す球均し部材とを備え、さらに前記タンクレールの内底面に、タンクレール内を横幅方向に区画して遊技球を一列状態で流下させる球流路を形成する仕切り壁部が立設されたパチンコ遊技機において、
前記球均し部材を支軸に対して着脱可能に設けるとともに、支軸から取り外した球均し部材を仕切り壁部に着脱可能に保持する保持手段を設け、支軸から取り外した球均し部材を、該保持手段によって仕切り壁部に保持することにより、該球均し部材でタンクレールの球流路を閉鎖して遊技球の流下を遮断可能としたことを特徴とするパチンコ遊技機。
【請求項２】
保持手段が、球均し部材の下端部に配設されて、下方から嵌入された仕切り壁部を両側面から挟持する弾性咬着溝であることを特徴とする請求項１記載のパチンコ遊技機。
【請求項３】
保持手段が、
球均し部材の下端部に開口して、その内部に上下方向の係合突条を備える、仕切り壁部が嵌入可能な嵌入溝と、
仕切り壁部の上端に開口して、前記係合突条が係合可能な所定深さの係合溝と
からなるものであることを特徴とする請求項１記載のパチンコ遊技機。
【請求項４】
保持手段が、
球均し部材の下端部に開口された、仕切り壁部が嵌入可能な嵌入溝と、
球均し部材の上端部に形成された軸孔に挿通する支持軸とを備え、
さらに該支持軸のタンクレール上の高さ位置が、球均し部材の下端部がタンクレールの内底面に当接して、該球均し部材が後方傾斜位置に保持されるか、または嵌入溝の溝底面が仕切り壁部の上端面に当接して、該球均し部材が後方傾斜位置に保持されるように設定されてなることを特徴とする請求項１記載のパチンコ遊技機。
【請求項５】
支軸によって揺動可能に軸支された球均し部材の下方位置に対応する仕切り壁部に、球均し部材の嵌入溝に遊嵌されて、その揺動範囲で常に遊嵌状態に維持される上方に突出した揺動安定縁部が設けられていることを特徴とする請求項４記載のパチンコ遊技機。
【発明の詳細な説明】
【技術分野】
【０００１】
本発明は、タンクレール内を積み重なった状態で流下する遊技球を平らに均すための球均し部材を備えたパチンコ遊技機に関する。
【背景技術】
【０００２】
一般に、パチンコ遊技機にあっては、図１４に示すように、遊技機本体の裏面側に装着される裏機構板ｍの上部位置に、遊技島設備の補給樋から供給された遊技球を受け入れる球タンクｋと、該球タンクｋから放出された遊技球を流下させる緩勾配で下方傾斜したタンクレールａとが配設されており、該タンクレールａを流下する遊技球は上下方向の球通路ｅを介して下方の球払出装置ｆに送られるようになっている。
【０００３】
前記タンクレールａには、遊技球が積み重なった状態で流下することに起因して発生する種々の不具合を未然に防ぐために、積み重なった状態の遊技球を平らに均す球均し部材ｂが設けられている。従来の球均し部材ｂは、タンクレールａ内における遊技球の流下方向に直交させてタンクレールａの上方に突設された支軸ｃに上端部を軸支して前後方向に揺動可能に取り付けられており、下端部には揺動した球均し部材ｂを垂下状態に復帰させる重錘ｄが収納されている。そして、遊技球がタンクレールａ内を積み重なった状態で流下した場合に、球均し部材ｂが遊技球に対向する前側面で遊技球の流圧を受けて後方へ回動し、該球均し部材ｂの最下端部分とタンクレールａの内底面との間に前記回動に伴って生じる遊技球１個分の間隙から最下層の遊技球を流下させるとともに、重錘ｄによって垂下状態に復帰しようとする球均し部材ｂの復帰力により、最下層の遊技球上に積み重なっている上層の遊技球の流下を規制することによって、タンクレールａ内を積み重なった状態で流下する遊技球を平らに均すようにしている（例えば、特許文献１，２参照）。
【０００４】
また、上述したように、タンクレールａを流下する遊技球は球通路ｅを介して球払出装置ｆに送られるが、故障や保守点検等で該球払出装置ｆや球通路ｅを取り外した場合に、タンクレールａ内の遊技球が流下して機外にこぼれ落ちないようにするための球止め部材ｇが、タンクレールａの下端近傍部に配設されている。従来の球止め部材ｇは、略直角に曲成されたストッパー片部ｈを先端に備えた断面略Ｌ形の帯板材からなり、その基部がタンクレールａの上部に横架された支軸ｊに回動可能に軸支されている。そして、支軸ｊの上部側で、基部を支点として正逆何れかの方向へ球止め部材ｇを選択的に回動させることにより、先端のストッパー片部ｈがタンクレールａ内に挿入されて遊技球を塞き止める球止め位置と、タンクレールａ内から退避して遊技球の流下を許容する待機位置とに変換可能に設けられている（例えば、特許文献３参照）。
【特許文献１】特開平８−８４８３６号公報（段落番号[０００３]、図５）
【特許文献２】特開平８−２４３２１１号公報（段落番号[０００２]、図８）
【特許文献３】特開平９−７０４７６号公報（段落番号[０００２]、図１１）
【発明の開示】
【発明が解決しようとする課題】
【０００５】
ところで、パチンコ遊技機においては、遊技盤の裏面側に突出した状態で取り付けられる制御装置や該制御装置の保護カバーとの干渉を避けるために、裏機構板ｍの略中央部に矩形状の開口部ｎ（図１４参照）が形成されており、該開口部ｎの上方に前記球タンクｋとタンクレールａが配設され、該開口部ｎの側方に前記球通路ｅと球払出装置ｆが配設されている。さらに裏機構板ｍには、遊技状態等の所要情報信号を出力する情報端子基板ｐ（図１４参照）が、遊技島設備の通信装置との配線が容易な裏機構板ｍの上部位置で、球タンクｋの横に並べて配設されており、該情報端子基板ｐの下方に前記タンクレールａの球止め部材ｇが配設された位置関係となっている。一方、近年、遊技領域の拡大化や図柄表示装置の大型化によって遊技盤のサイズが拡大され、これに対応して裏機構板ｍの開口部ｎも大きくなる傾向にある。そして、このように裏機構板ｍの開口部ｎが大きくなると、これに伴って前記タンクレールａと情報端子基板ｐとの上下間隔が狭くなることとなる。ここで、タンクレールａの下端近傍部に配設されている従来の球止め部材ｇにあっては、支軸ｊの上部側で、基部を支点として回動操作を行うものであるため、上記のようにタンクレールａと情報端子基板ｐとの上下間隔が狭くなると操作スペースが減少し、球止め部材ｇの回動操作がし難くなったり、情報端子基板ｐに接続されている配線ケーブルに先端のストッパー片部ｈが引っ掛かったりする不具合が生じることとなり、従来構成の球止め部材ｇでは、裏機構板ｍの開口部ｎの拡大に伴う操作スペースの減少化に対応できないという問題点があった。
【０００６】
また、球止め部材ｇは、球払出装置ｆや球通路ｅを取り外すような殆ど行われない特殊な作業時に使用するものであり、使用頻度が極めて少なく、パチンコ遊技機が遊技店に設置されてから廃棄されるまで一度も使用されない場合もあるが、パチンコ遊技機に球止め機能を具備させるために必要なものとされている。しかしながら、従来構成の球止め部材ｇにあっては、別途、専用部品として製作しなければならない上、その組み付けにも手間がかかるという問題点があった。
【０００７】
本発明は、このような問題点を解消するためになされたものであって、裏機構板の開口部の拡大による操作スペースの減少化に対応可能であり、簡単な付け替え操作で球止め機能が得られる球均し部材を備えたパチンコ遊技機を提供することを目的とするものである。
【課題を解決するための手段】
【０００８】
本発明は、遊技機本体の裏面側に、遊技島設備の補給樋から供給された遊技球を受け入れる球タンクと、該球タンクから放出された遊技球を流下させる下方傾斜したタンクレールと、該タンクレールの上方位置に上端が支軸によって軸支されて、タンクレールに沿って揺動可能に吊持され、タンクレール内を積み重なって流下する遊技球を平らに均す球均し部材とを備え、さらに前記タンクレールの内底面に、タンクレール内を横幅方向に区画して遊技球を一列状態で流下させる球流路を形成する仕切り壁部が立設されたパチンコ遊技機において、前記球均し部材を支軸に対して着脱可能に設けるとともに、支軸から取り外した球均し部材を仕切り壁部に着脱可能に保持する保持手段を設け、支軸から取り外した球均し部材を、該保持手段によって仕切り壁部に保持することにより、該球均し部材でタンクレールの球流路を閉鎖して遊技球の流下を遮断可能としたことを特徴とするパチンコ遊技機である。
【０００９】
ここで、前記保持手段は、球均し部材に設けたり、球均し部材と仕切り壁部に設けたり、或いは球均し部材と遊技機本体の裏面に設けたりすることが可能であり、該保持手段によって球均し部材を仕切り壁部に保持して遊技球の流下を遮断することにより、球均し部材を球止め部材として機能させ得るものとなる。
【００１０】
前記保持手段を、球均し部材の下端部に配設されて、下方から嵌入された仕切り壁部を両側面から挟持する弾性咬着溝とする構成が提案される。
【００１１】
また、他の保持手段としては、球均し部材の下端部に開口して、その内部に上下方向の係合突条を備える、仕切り壁部が嵌入可能な嵌入溝と、仕切り壁部の上端に開口して、前記係合突条が係合可能な所定深さの係合溝とからなるものとする構成が提案される。
【００１２】
ここで、前記仕切り壁部の係合溝は、支軸によって揺動可能に軸支された球均し部材の軸支位置よりもタンクレールの下流側に形成することが好ましい。即ち、球均し部材の軸支位置より上流側に位置するタンクレールの側壁部は、遊技球が積み重なった状態で流下してもタンクレールからこぼれ落ちないようにするために、所定高さ位置まで上方に延設されているのに対して、球均し部材の軸支位置より下流側に位置するタンクレールの側壁部にはこのような上方への延設部がない。従って、仕切り壁部の係合溝を球均し部材の軸支位置よりも下流側に形成すれば、該係合溝に対する係合突条の係合操作が容易となる。
【００１３】
さらに、他の保持手段としては、球均し部材の下端部に開口された、仕切り壁部が嵌入可能な嵌入溝と、球均し部材の上端部に形成された軸孔に挿通する支持軸とを備え、さらに該支持軸のタンクレール上の高さ位置が、球均し部材の下端部がタンクレールの内底面に当接して、該球均し部材が後方傾斜位置に保持されるか、または嵌入溝の溝底面が仕切り壁部の上端面に当接して、該球均し部材が後方傾斜位置に保持されるように設定されてなる構成が提案される。
【００１４】
ここで、前記支持軸は、上記と同様の理由により、球均し部材の軸孔への挿通を容易とするために、支軸によって揺動可能に軸支された球均し部材の軸支位置よりもタンクレールの下流側に形成することが好ましい。
【００１５】
また、上記構成にあって、支軸によって揺動可能に軸支された球均し部材の下方位置に対応する仕切り壁部に、球均し部材の嵌入溝に遊嵌されて、その揺動範囲で常に遊嵌状態に維持される上方に突出した揺動安定縁部が設けられている構成が提案される。
【発明の効果】
【００１６】
本発明は、上述したように、球均し部材を支軸に対して着脱可能に設けるとともに、支軸から取り外した球均し部材をタンクレールの仕切り壁部に着脱可能に保持する保持手段を設け、支軸から取り外した球均し部材を、該保持手段によって仕切り壁部に保持することにより、該球均し部材でタンクレールの球流路を閉鎖して遊技球の流下を遮断可能としたので、通常は球均し部材を支軸に軸支しておくことによって、タンクレール内を積み重なった状態で流下する遊技球を平らに均す球均し作用を得ることができる一方、必要に応じて、球均し部材を支軸から取り外して仕切り壁部に保持する簡単な付け替え操作により、タンクレール内を流下する遊技球を塞き止める球止め作用を得ることができる。そして、このように、球均し部材に球止め機能を具備させることができるため、専用の球止め部材が不要となる。また、従来の球止め部材ｇ（図１４参照）のように、支軸ｊの上部側で、基部を支点として回動操作するものではないため、裏機構板の開口部の拡大に伴う操作スペースの減少化に対応し得るものとなる。
【００１７】
前記保持手段を、球均し部材の下端部に配設されて、下方から嵌入された仕切り壁部を両側面から挟持する弾性咬着溝とする構成にあっては、長手方向に延在する仕切り壁部の任意の位置で前記弾性咬着溝によって球均し部材を保持させることにより、タンクレールの任意の位置で遊技球を塞き止めることができる。また、仕切り壁部に保持した状態で球均し部材を移動させることが可能であるため、タンクレール上における球止め位置を調整することができる。
【００１８】
また、前記保持手段が、球均し部材の下端部に開口して、その内部に上下方向の係合突条を備える、仕切り壁部が嵌入可能な嵌入溝と、仕切り壁部の上端に開口して、前記係合突条が係合可能な所定深さの係合溝とからなるものである構成にあっては、仕切り壁部の係合溝に球均し部材の係合突条を係合させることにより、球均し部材が仕切り壁部に保持されて、遊技球を塞き止めることができる。そして、このように、係合溝に係合突条を係合するだけで球均し部材が保持されるので、その組み付け操作を簡単に行うことができ、また、係合溝と係合突条との係合によって球均し部材が保持されているため、遊技球の大きな流圧を受けてもその保持状態を維持することができる。
【００１９】
また、前記保持手段が、球均し部材の下端部に開口された、仕切り壁部が嵌入可能な嵌入溝と、球均し部材の上端部に形成された軸孔に挿通する支持軸とを備え、さらに該支持軸の高さ位置が、球均し部材の下端部がタンクレールの内底面に当接するか、嵌入溝の溝底面が仕切り壁部の上端面に当接して、該球均し部材が後方傾斜位置に保持されるように設定されてなる構成にあっては、球均し部材の軸孔に支持軸を挿通して該球均し部材の上端部を支持するとともに、後方傾斜させた状態で球均し部材の下端部をタンクレールの内底面に当接させるか、嵌入溝の溝底面を仕切り壁部の上端面に当接させて、該球均し部材の下部を支持することにより、球均し部材が仕切り壁部に保持されて、遊技球を塞き止めることができる。ここで、球均し部材が後方傾斜した状態で上下の二位置で支持されるので後方回動不能となり、これによって、遊技球のより大きな流圧を受けてもその保持状態を維持することができる。
【００２０】
さらに、上記構成にあって、支軸によって揺動可能に軸支された球均し部材の下方位置に対応する仕切り壁部に、球均し部材の嵌入溝に遊嵌されて、その揺動範囲で常に遊嵌状態に維持される上方に突出した揺動安定縁部が設けられている構成にあっては、支軸に軸支された球均し部材による球均し時に、該球均し部材を仕切り壁部に沿って安定して揺動させることができる。
【発明を実施するための最良の形態】
【００２１】
以下に、本発明の第一実施例を、図１〜図７に基づいて説明する。
パチンコ遊技機１は、図１，図２に示すように、遊技島設備（図示省略）に固定される外枠２と、該外枠２の前面開口部を覆う遊技機本体３とからなる。
【００２２】
遊技機本体３は、略正方形状の開口部５が中央上部に形成された前枠６を備え、該前枠６の一側縁がヒンジ部材４，４を介して外枠２に開閉可能に枢着されている。この前枠６には、略円形のレール７により区画形成された遊技領域を備える遊技盤８が前記開口部５に嵌合された状態で取り付けられており、さらに前枠６には、遊技盤８を覆うガラス扉１０と、上受皿１１を備えた上皿パネル１２とが夫々開閉可能に軸支されている。また、前枠６の下部には、上受皿１１の下方に位置させて下受皿１３が一体形成されており、該下受皿１３の右側方に発射ハンドル１４が配設されている。尚、図示省略されているが、前記遊技盤８の遊技領域には、図柄表示装置，大入賞口，電動役物，遊技釘，風車等の各種遊技部材が所定位置に配設されている。
【００２３】
一方、遊技機本体３の裏面側には、遊技盤８の背面に当接させるようにして裏機構板１５（図３参照）が対設されている。該裏機構板１５は、その一側縁が前枠６の裏面側縁部にヒンジ部材１６，１６を介して開閉可能に枢結されている。該裏機構板１５には、図３に示すように、その上部に球タンク１７が配設されており、図示しない遊技島設備の補給樋から可撓パイプを介して供給される遊技球を該球タンク１７内に受け入れ得るようになっている。また、裏機構板１５には、球タンク１７の底壁に開口された球出口１８から放出される遊技球を受け入れて流下させる緩勾配で下方傾斜したタンクレール１９と、該タンクレール１９の下端部と連通して遊技球を下方の球払出装置２０へ導く上下方向の球通路２１とが設けられている。また、裏機構板１５には、前記球払出装置２０から払い出される遊技球をさらに下方に導く二股状に分岐された払出し流路２２ａ，２２ｂが設けられており、その一方の払出し流路２２ａは上受皿１１の球出口２３と連通され、他方の払出し流路２２ｂは下受皿１３の球出口２４と連通されている。尚、前記タンクレール１９，球通路２１，払出し流路２２ａ，２２ｂは、透光性を有する合成樹脂によって形成されており、内部を流下する遊技球を視認し得るようになっている。
【００２４】
また、裏機構板１５には、遊技盤８の裏面側に突出した状態で取り付けられる制御装置や該制御装置の保護カバー（何れも図示省略）との干渉を避けるために、その略中央部に矩形状の開口部２５が形成されており、該開口部２５の上方に前記タンクレール１９が配設され、該開口部２５の側方に前記球通路２１と球払出装置２０が配設されている。さらに裏機構板１５の上部位置には、遊技状態等の所要情報信号を出力する情報端子基板２６が、球タンク１７の横に並べて配設されている。
【００２５】
次に、本発明の要部について説明する。
前記タンクレール１９は、図６（ａ），（ｂ）に示すように、底壁部３０と前後の側壁部３１ａ，３１ｂとにより断面略コ字形に形成され、その内部には底壁部３０に立設された仕切り壁部３２によってタンクレール１９内を横幅方向に区画してなる二条の球流路３３，３３が形成されている。この球流路３３，３３の各横幅は、遊技球ｘの直径寸法より若干広く設定されており、これによって、遊技球ｘを一列状に整列させて流下させ得るようになっている。また、タンクレール１９の長手方向の略中間位置には、本発明の要部にかかる後述する球均し部材３６Ａ（図３参照）が配設されている。この球均し部材３６Ａより上流側の側壁部３１ｂは、所定高さ位置まで上方に延設されており、該側壁部３１ｂによってタンクレール１９の背面側の側部を遮蔽して、遊技球ｘが積み重なった状態で流下してもタンクレール１９からこぼれ落ちないようにしている。
【００２６】
前記球均し部材３６Ａは、図４（ａ）に示すように、通常はタンクレール１９の上方位置に上端を支軸３７によって軸支することにより、タンクレール１９に沿って揺動可能に吊持されており、タンクレール１９内を積み重なって流下する遊技球ｘを平らに均し得るようになっている。また、該球均し部材３６Ａは、支軸３７に対して着脱可能に設けられており、図４（ｂ）に示すように、必要に応じて支軸３７から取り外して、後述する保持手段によって仕切り壁部３２に保持することにより、該球均し部材３６Ａでタンクレール１９の球流路３３，３３（図６参照）を閉鎖して遊技球ｘの流下を遮断し得るようになっている。
【００２７】
ここで、前記裏機構板１５には、タンクレール１９上の所定高さ位置に、図５，図６（ａ）に示すように、球均し部材３６Ａを揺動可能に軸支する略円柱状の支軸３７がタンクレール１９の長手方向に直交させて突設されており、また、球均し部材３６Ａの上端には、前記支軸３７に係脱可能に係合されるフック部３９（図４（ｂ）参照）が設けられている。そして、該フック部３９を前記支軸３７に係合することにより、球均し部材３６Ａが支軸３７に対して揺動可能に軸支されており、この軸支状態で、球均し部材３６Ａの下端がタンクレール１９の内底面３４に対して遊技球１個を通過させ得る高さ位置に臨むようにしている。また、前記支軸３７の略中央部には、球均し部材３６Ａのフック部３９を保持する若干径小な保持部４１（図６（ｂ）参照）が設けられており、該保持部４１によって球均し部材３６Ａを支軸３７上の所定位置に位置決めするようにしている。
【００２８】
球均し部材３６Ａは、図７（ａ）に示すように、上述したフック部３９を上端に備えた本体部４３内に、円筒状の収納部４４が形成されており、該収納部４４に円柱状のゴムからなる弾性体４５が収納されている。ここで、球均し部材３６Ａは、図７（ｂ）に示すように、その幅方向を二等分する位置で左右に分割形成されており、前記弾性体４５を収納部４４に収納した状態でその分割面を接合することにより一体化されている。また、前記弾性体４５には、その幅方向を二等分する位置に、下部から上方に向けて切り込まれた状態の弾性咬着溝４６が形成されており、本体部４３の下部には該弾性咬着溝４６を露出させるための狭幅状の開口部４７が形成されている。該開口部４７及び前記弾性咬着溝４６の深さは、図６（ｂ）に示すように、弾性咬着溝４６に下方から仕切り壁部３２を嵌入した状態で、球均し部材３６Ａの下端部とタンクレール１９の内底面３４との間隔が遊技球１個分以下となる深さ寸法に設定されている。そして、弾性咬着溝４６に下方から仕切り壁部３２を嵌入すると、該弾性咬着溝４６で仕切り壁部３２を両側面から挟持し得るようになっており、この弾性咬着溝４６によって、球均し部材３６Ａを仕切り壁部３２に着脱可能に保持する保持手段が構成されている。
【００２９】
尚、球均し部材３６Ａの材質には、硬質合成樹脂または金属等が用いられ得るが、該球均し部材３６Ａの分割形成は、本体部４３内に弾性体４５を収納するための一手段であって、収納部４４に弾性体４５を側方から収納させる等の他の収納方法を適用する場合や、球均し部材３６Ａ自体を弾性体で構成する場合には、このような分割形成は必要ない。
【００３０】
かかる構成にあって、図４（ａ），図６（ａ）に示すように、通常は球均し部材３６Ａを支軸３７によって揺動可能に吊持しておくことにより、タンクレール１９内を積み重なった状態で流下する遊技球ｘを平らに均す球均し作用を得ることができる。また、球払出装置２０や球通路２１（図３参照）の交換または保守点検等で、タンクレール１９内の遊技球を塞き止める必要が生じた場合には、支軸３７とフック部３９との係合を解除して球均し部材３６Ａを取り外した後、本体部４３に収納した弾性体４５の弾性咬着溝４６を上方からタンクレール１９の仕切り壁部３２に押し付けて、該弾性咬着溝４６内に仕切り壁部３２を嵌挿させることにより、球均し部材３６Ａをタンクレール１９の仕切り壁部３２に取付ける。この時、弾性咬着溝４６が仕切り壁部３２の両側面を挟持することにより、球均し部材３６Ａがタンクレール１９の仕切り壁部３２に保持される。そして、このように弾性咬着溝４６からなる保持手段によって球均し部材３６Ａを仕切り壁部３２に保持することにより、図４（ｂ），図６（ｂ）に示すように、該球均し部材３６Ａでタンクレール１９の球流路３３，３３を閉鎖して遊技球ｘの流下を遮断することができる。
【００３１】
また、支軸３７から取り外した球均し部材３６Ａを仕切り壁部３２に着脱可能に保持する保持手段を、球均し部材３６Ａの下端部に配設されて、下方から嵌入された仕切り壁部３２を両側面から挟持する弾性咬着溝４６としたので、長手方向に延在する仕切り壁部３２の任意の位置で前記弾性咬着溝４６によって球均し部材３６Ａを保持させることにより、タンクレール１９の任意の位置で遊技球を塞き止めることができる。また、仕切り壁部３２に保持した状態で球均し部材３６Ａを移動させることが可能であるため、タンクレール１９上における球止め位置を調整することができる。
【００３２】
このように、球均し部材３６Ａは、必要に応じて支軸３７から取り外して仕切り壁部３２に保持する簡単な付け替え操作によって、タンクレール１９内を流下する遊技球を塞き止めることができ、該球均し部材３６Ａに球止め機能を具備させることができるため、専用の球止め部材を設ける必要がない。また、従来の球止め部材ｇ（図１４参照）のように、支軸ｊの上部側で、基部を支点として回動操作するものではないため、裏機構板１５の開口部２５（図３参照）の拡大に伴う操作スペースの減少化に対応し得るものとなる。
【００３３】
尚、この第一実施例では、保持手段としての弾性咬着溝４６を、弾性体４５の下部から上方に向けて切り込んだ溝によって構成しているが、これに限らず、例えば機械的なクリップ構造を適用することも可能である。
【００３４】
図８〜図１０は、第二実施例を示し、この第二実施例では、支軸３７から取り外した球均し部材３６Ｂを仕切り壁部３２に着脱可能に保持する保持手段が、球均し部材３６Ｂの下端部に開口して、その内部に上下方向の係合突条４８（図１０（ｂ）参照）を備える、仕切り壁部３２が嵌入可能な嵌入溝４９と、仕切り壁部３２の上端に開口して、前記係合突条４８が係合可能な所定深さの係合溝５０（図１０（ａ）参照）とによって構成されている。
【００３５】
前記球均し部材３６Ｂは、図８（ａ），図９（ａ）に示すように、通常はタンクレール１９の上方位置に上端を支軸３７によって軸支することにより、タンクレール１９に沿って揺動可能に吊持されており、タンクレール１９内を積み重なって流下する遊技球ｘを平らに均し得るようになっている。また、該球均し部材３６Ｂは、上端に設けたフック部３９の係脱操作を介して支軸３７に対して着脱可能に設けられており、図８（ｂ），図９（ｂ）に示すように、必要に応じて支軸３７から取り外して、前記保持手段によって仕切り壁部３２に保持することにより、該球均し部材３６Ｂでタンクレール１９の球流路３３，３３を閉鎖して遊技球ｘの流下を遮断し得るようになっている。
【００３６】
球均し部材３６Ｂには、図１０（ｂ）に示すように、本体部４３の下端部に、仕切り壁部３２が嵌入可能な嵌入溝４９が開口されており、該嵌入溝４９内に上下方向の係合突条４８が形成されている。ここで、該球均し部材３６Ｂは、その幅方向を二等分する位置で左右に分割形成されており、その分割面を接合することにより一体化されている。尚、この分割形成は、合成樹脂の射出成形または金属の鋳造によって本体部４３に係合突条４８及び嵌入溝４９を容易に形成するための一手段であって、該係合突条４８及び嵌入溝４９を切削によって設ける場合には、このような分割形成は必要ない。一方、タンクレール１９の仕切り壁部３２には、球均し部材３６Ｂの軸支位置よりもタンクレール１９の下流側に位置させて、前記係合突条４８が略密嵌状に係合可能な所定深さの係合溝５０が仕切り壁部３２の上端に開口されている。該係合溝５０及び前記係合突条４８の上下寸法は、係合溝５０に上方から係合突条４８を係合した状態で、図９（ｂ）に示すように、球均し部材３６Ｂの下端部とタンクレール１９の内底面３４との間隔が遊技球１個分以下となる寸法に設定されている。
【００３７】
その他、第一実施例と同じ構成部分には、第一実施例と同じ符号を付して重複する説明を省略する。
【００３８】
かかる構成にあって、タンクレール１９内の遊技球を塞き止める必要が生じた場合には、支軸３７とフック部３９との係合を解除して球均し部材３６Ｂを取り外した後、図８（ｂ），図９（ｂ）に示すように、仕切り壁部３２の係合溝５０に本体部４３の係合突条４８を上方から差し込んで係合させることにより、球均し部材３６Ｂをタンクレール１９の仕切り壁部３２に取付ける。これにより、球均し部材３６Ｂが仕切り壁部３２に保持されて、遊技球ｘを塞き止めることができる。そして、このように、係合溝５０に係合突条４８を係合するだけで球均し部材３６Ｂが保持されるので、その組み付け操作を簡単に行うことができ、また、係合溝５０と係合突条４８との係合によって球均し部材３６Ｂが揺動不能に保持されるため、遊技球の大きな流圧を受けてもその保持状態を維持することができる。
【００３９】
このように、この第二実施例の球均し部材３６Ｂにあっても、必要に応じて支軸３７から取り外して仕切り壁部３２に保持する簡単な付け替え操作によって、タンクレール１９内を流下する遊技球を塞き止めることができ、該球均し部材３６Ｂに球止め機能を具備させることができるため、専用の球止め部材を設ける必要がない。また、従来の球止め部材ｇ（図１４参照）のように、支軸ｊの上部側で、基部を支点として回動操作するものではないため、裏機構板１５の開口部２５（図３参照）の拡大に伴う操作スペースの減少化に対応し得るものとなる。
【００４０】
尚、この第二実施例では、球均し部材３６Ｂの軸支位置よりもタンクレール１９の下流側に位置させて、単一の係合溝５０を仕切り壁部３２に形成しているが、これに限らず、係合溝５０はタンクレール１９の下流側または上流側に複数形成することが可能であり、任意の係合溝５０に対して球均し部材３６Ｂを選択的に取付けることによって、タンクレール１９上における球止め位置を調整するようにしてもよい。
【００４１】
図１１〜図１３は、第三実施例を示し、この第三実施例では、支軸３７から取り外した球均し部材３６Ｃを仕切り壁部３２に着脱可能に保持する保持手段が、球均し部材３６Ｃの下端部に開口した、仕切り壁部３２が嵌入可能な嵌入溝４９（図１３（ｂ）参照）と、球均し部材３６Ｃの上端部に形成された軸孔５１に挿通する支持軸５２（図１３（ａ）参照）とを備え、該支持軸５２の高さ位置が、図１１（ｂ）に示すように、球均し部材３６Ｃの下端部がタンクレール１９の内底面３４に当接して、該球均し部材３６Ｃが後方傾斜位置に保持されるように設定されている。
【００４２】
前記球均し部材３６Ｃは、図１１（ａ），図１２（ａ）に示すように、通常は上端部の軸孔５１に挿通した支軸３７によってタンクレール１９の上方位置に上端を軸支することにより、タンクレール１９に沿って揺動可能に吊持されており、タンクレール１９内を積み重なって流下する遊技球ｘを平らに均し得るようになっている。また、該球均し部材３６Ｃは、軸孔５１と支軸３７との係脱操作を介して該支軸３７に対して着脱可能に設けられており、図１１（ｂ），図１２（ｂ）に示すように、必要に応じて支軸３７から取り外して、前記保持手段によって後方傾斜状態で仕切り壁部３２に保持することにより、該球均し部材３６Ｃでタンクレール１９の球流路３３，３３を閉鎖して遊技球ｘの流下を遮断し得るようになっている。
【００４３】
球均し部材３６Ｃには、図１３（ｂ）に示すように、軸孔５１を上端部に備えた本体部４３の下端部に、仕切り壁部３２が嵌入可能な嵌入溝４９が開口されている。ここで、該球均し部材３６Ｃは、その幅方向を二等分する位置で左右に分割形成されており、その分割面を接合することにより一体化されている。尚、この分割形成は、合成樹脂の射出成形または金属の鋳造によって本体部４３に嵌入溝４９を容易に形成するための一手段であって、このように分割形成することなく、該嵌入溝４９を切削によって設けることも可能である。一方、裏機構板１５には、図１２（ａ），図１３（ａ）に示すように、球均し部材３６Ｃの支軸３７による軸支位置よりもタンクレール１９の下流側で、タンクレール１９上の所定高さ位置に、球均し部材３６Ｃの軸孔５１に挿通可能な支持軸５２がタンクレール１９の長手方向に直交させて突設されている。ここで、該支持軸５２の高さ位置は、該支持軸５２を軸孔５１に挿通した状態で、図１２（ｂ）に示すように、球均し部材３６Ｃの下端部がタンクレール１９の内底面３４に当接して、図１１（ｂ）に示すように、該球均し部材３６Ｃを後方傾斜した状態で保持し得る高さ位置に設定されている。また、図１１（ａ）に示すように、支軸３７によって揺動可能に軸支された球均し部材３６Ｃの下方位置に対応する仕切り壁部３２には、支軸３７を中心とする円弧状の上端面を備えた揺動安定縁部５３が上方突成されている。該揺動安定縁部５３は球均し部材３６Ｃの嵌入溝４９に遊嵌されて、球均し部材３６Ｃの揺動範囲で常に遊嵌状態に維持されるようになっている。
【００４４】
その他、第一実施例と同じ構成部分には、第一実施例と同じ符号を付して重複する説明を省略する。
【００４５】
かかる構成にあって、図１１（ａ）に示すように、通常は球均し部材３６Ｃを支軸３７によって揺動可能に吊持しておくことにより、タンクレール１９内を積み重なった状態で流下する遊技球ｘを平らに均す球均し作用を得ることができる。また、この時、仕切り壁部３２の揺動安定縁部５３が球均し部材３６Ｃの嵌入溝４９に遊嵌されていることにより、該球均し部材３６Ｃを仕切り壁部３２に沿って安定して揺動させることができる。一方、タンクレール１９内の遊技球を塞き止める必要が生じた場合には、支軸３７から球均し部材３６Ｃを取り外した後、図１１（ｂ），図１２（ｂ）に示すように、球均し部材３６Ｃの軸孔５１に支持軸５２を挿通して該球均し部材３６Ｃの上端部を支持するとともに、球均し部材３６Ｃを後方傾斜させた状態で、該球均し部材３６Ｃの下端部をタンクレール１９の内底面３４に当接させて、該球均し部材３６Ｃの下部を支持することにより、球均し部材３６Ｃが仕切り壁部３２に保持されて、遊技球ｘを塞き止めることができる。ここで、球均し部材３６Ｃが後方傾斜した状態で上下の二位置で支持されるので後方回動不能となり、これによって、遊技球のより大きな流圧を受けてもその保持状態を維持することができる。
【００４６】
このように、この第三実施例の球均し部材３６Ｃにあっても、必要に応じて支軸３７から取り外して仕切り壁部３２に保持する簡単な付け替え操作によって、タンクレール１９内を流下する遊技球を塞き止めることができ、該球均し部材３６Ｃに球止め機能を具備させることができるため、専用の球止め部材を設ける必要がない。また、従来の球止め部材ｇ（図１４参照）のように、支軸ｊの上部側で、基部を支点として回動操作するものではないため、裏機構板１５の開口部２５（図３参照）の拡大に伴う操作スペースの減少化に対応し得るものとなる。
【００４７】
尚、この第三実施例では、支持軸５２を軸孔５１に挿通した状態において、球均し部材３６Ｃの下端部をタンクレール１９の内底面３４に当接させるようにしているが、これに代えて、嵌入溝４９の溝底面を仕切り壁部３２の上端面に当接させるようにしてもよい。また、上記第一実施例乃至第三実施例において、球均し部材３６Ａ〜３６Ｃを合成樹脂で形成した場合には、支軸３７によって揺動可能に軸支された球均し部材３６Ａ〜３６Ｃを垂下状態に復帰させる重錘（図示省略）が本体部４３に収納される。
【図面の簡単な説明】
【００４８】
【図１】パチンコ遊技機１の正面図である。
【図２】同上のパチンコ遊技機１のガラス扉１０を開放した状態を示す斜視図である。
【図３】裏機構板１５の背面図である。
【図４】（ａ）は第一実施例にかかる球均し部材３６Ａの球均し状態、（ｂ）は球止め状態を示す正面図である。
【図５】支軸３７による軸支状態を示す球均し部材３６Ａの斜視図である。
【図６】（ａ）は支軸３７による球均し部材３６Ａの軸支状態、（ｂ）は仕切り壁部３２に保持された状態を示す側断面図である。
【図７】（ａ）は球均し部材３６Ａの縦断面図、（ｂ）は分解状態の斜視図である。
【図８】（ａ）は第二実施例にかかる球均し部材３６Ｂの球均し状態、（ｂ）は球止め状態を示す正面図である。
【図９】（ａ）は支軸３７による球均し部材３６Ｂの軸支状態、（ｂ）は仕切り壁部３２に保持された状態を示す側断面図である。
【図１０】（ａ）は支軸３７による球均し部材３６Ｂの軸支状態を示す斜視図、（ｂ）は球均し部材３６Ｂの分解斜視図である。
【図１１】（ａ）は第三実施例にかかる球均し部材３６Ｃの球均し状態、（ｂ）は球止め状態を示す正面図である。
【図１２】（ａ）は支軸３７による球均し部材３６Ｃの軸支状態、（ｂ）は仕切り壁部３２に保持された状態を示す側断面図である。
【図１３】（ａ）は支軸３７による球均し部材３６Ｃの軸支状態を示す斜視図、（ｂ）は球均し部材３６Ｃの分解斜視図である。
【図１４】従来構成の球均し部材ｂと球止め部材ｇを備えた裏機構板ｍの部分拡大背面図である。
【符号の説明】
【００４９】
１  パチンコ遊技機
３  遊技機本体
１７  球タンク
１９  タンクレール
３２  仕切り壁部
３３  球流路
３４  内底面
３６Ａ，３６Ｂ，３６Ｃ  球均し部材
３７  支軸
４６  弾性咬着溝（保持手段）
４８  係合突条（保持手段）
４９  嵌入溝（保持手段）
５０  係合溝（保持手段）
５１  軸孔
５２  支持軸（保持手段）
５３  揺動安定縁部
ｘ  遊技球
【図１】
0004806254.tif 000002
【図２】
0004806254.tif 000003
【図３】
0004806254.tif 000004
【図４】
0004806254.tif 000005
【図５】
0004806254.tif 000006
【図６】
0004806254.tif 000007
【図７】
0004806254.tif 000008
【図８】
0004806254.tif 000009
【図９】
0004806254.tif 000010
【図１０】
0004806254.tif 000011
【図１１】
0004806254.tif 000012
【図１２】
0004806254.tif 000013
【図１３】
0004806254.tif 000014
【図１４】
0004806254.tif 000015